(57)【要約】【課題】昇降体に搭載される被洗浄物を昇降による洗浄力と、自転による洗浄力とにより効率よく洗浄することができる洗浄装置を提供する。【解決手段】被洗浄物が搭載される昇降体１を昇降方向の回転中心で回転可能とし、該昇降体１に、昇降方向に対して傾斜し、且つ昇降の際に液体中で回転方向一方及び他方へ自転用液流を発生させる複数の液流発生面１ａを設け、昇降体１の昇降により発生する液流と、自転により発生する液流とにより被洗浄物を効率的に洗浄するようにした。【選択図】図２
2008093522.tif 000002
【特許請求の範囲】
【請求項１】
被洗浄物が搭載される昇降体の昇降により前記被洗浄物を液体中で洗浄する洗浄装置において、前記昇降体は昇降方向の回転軸心で回転が可能であり、該昇降体に、昇降方向に対して傾斜し、且つ昇降の少なくとも一方の際に前記液体中で自転用液流を発生させる液流発生面を設けてあることを特徴とする洗浄装置。
【請求項２】
前記昇降体は、昇降方向の両方へ開放された液体通路を回転方向の複数の位置に有し、隣合う液体通路の間に前記液流発生面を設けてある請求項１記載の洗浄装置。
【請求項３】
前記昇降体はその昇降方向の両面に前記液流発生面を有する複数の羽根を備える請求項１記載の洗浄装置。
【発明の詳細な説明】
【技術分野】
【０００１】
本発明は昇降体の昇降により被洗浄物を洗浄する洗浄装置に関する。
【背景技術】
【０００２】
切粉、切削加工油等の異物が付着している被洗浄物を洗浄する洗浄装置として、洗浄槽の上方に昇降を可能に配置される昇降体と、該昇降体の上部に連動連結され、昇降体を昇降させるエアシリンダ等の昇降手段とを備え、被洗浄物が搭載されている昇降体を洗浄槽内で昇降させることにより、洗浄槽内に液流を発生させ、被洗浄物に付着している切粉等の異物を洗い落すように構成されたものが知られている（例えば、特許文献１参照。）。
【特許文献１】登録実用新案第３０３０４４９号公報
【発明の開示】
【発明が解決しようとする課題】
【０００３】
ところが、特許文献１のように構成された洗浄装置は、被洗浄物が搭載されている昇降体を洗浄槽内で昇降させて該洗浄槽内に液流を発生させるだけであるため、複雑な形状の被洗浄物を洗浄する場合、被洗浄物の異物付着箇所に液流が届き難く、昇降回数を多くしても洗い残しが生じ、改善策が要望されていた。
【０００４】
本発明は上述のような事情に鑑みてなされたものであり、主たる目的は昇降体を回転可能とし、該昇降体に、昇降方向に対して傾斜し、且つ昇降の少なくとも一方の際に前記液体中で自転用液流を発生させる液流発生面を設けることにより、昇降体に搭載される被洗浄物を昇降による洗浄力と、自転による洗浄力とにより効率よく洗浄することができる洗浄装置を提供することにある。
【０００５】
また、他の目的は、昇降方向の両方へ開放された液体通路を回転方向の複数の位置に設け、隣合う液体通路の間に液流発生面を設けることにより、昇降体を自転させることができる割りに構造を簡単にできる洗浄装置を提供することにある。
【０００６】
また、他の目的は、その昇降方向の両面に液流発生面を有する複数の羽根を設けることにより、昇降体が昇降する際の自転性を高めることができる洗浄装置を提供することにある。
【課題を解決するための手段】
【０００７】
第１発明に係る洗浄装置は、被洗浄物が搭載される昇降体の昇降により前記被洗浄物を液体中で洗浄する洗浄装置において、前記昇降体は昇降方向の回転軸心で回転が可能であり、該昇降体に、昇降方向に対して傾斜し、且つ昇降の少なくとも一方の際に前記液体中で自転用液流を発生させる液流発生面を設けてあることを特徴とする。
【０００８】
第１発明にあっては、液体中で昇降体が昇降する際に、液流発生面により自転用液流を発生させることができ、この自転用液流により昇降体が自転しつつ昇降するため、昇降体に搭載される被洗浄物を昇降による洗浄力と、自転による洗浄力とにより効率よく洗浄することができ、被洗浄物に付着している異物を洗い落すまでの昇降回数を低減でき、洗浄作業性を向上できる。
【０００９】
第２発明に係る洗浄装置は、前記昇降体は、昇降方向の両方へ開放された液体通路を回転方向の複数の位置に有し、隣合う液体通路の間に前記液流発生面を設けてあることを特徴とする。
【００１０】
第２発明にあっては、昇降体が液体中で昇降する際に、液体通路内を液体が昇降方向へ流通し、この流通する液体が液流発生面により自転用液流となり、昇降体を自転させることができる。従って、昇降体を自転させることができる割りに構造が簡単であり、コストを低減できる。
【００１１】
第３発明に係る洗浄装置は、前記昇降体はその昇降方向の両面に前記液流発生面を有する複数の羽根を備えることを特徴とする。
【００１２】
第３発明にあっては、両面の液流発生面の個数を簡易に増加することができ、昇降体が昇降する際の自転性を高めることができ、洗浄作業性をより一層向上できる。
【発明の効果】
【００１３】
第１発明によれば、昇降体に搭載される被洗浄物を昇降による洗浄力と、自転による洗浄力とにより効率よく洗浄することができ、被洗浄物に付着している異物を洗い落すまでの昇降回数を低減でき、洗浄作業性を向上できる。
【００１４】
第２発明によれば、昇降体を自転させることができる割りに構造が簡単であり、コストを低減できる。
【００１５】
第３発明によれば、両面の液流発生面の個数を簡易に増加することができ、昇降体が昇降する際の自転性を高めることができ、洗浄作業性をより一層向上できる。
【発明を実施するための最良の形態】
【００１６】
以下本発明をその実施の形態を示す図面に基づいて詳述する。図１は本発明に係る洗浄装置の構成を示す斜視図、図２は昇降体の構成を示す拡大斜視図、図３は昇降体の一部を破断した正面図である。
【００１７】
洗浄装置は、洗浄槽Ａ内で昇降される昇降体１と、該昇降体１の上部に連動連結され、昇降体１を昇降させるエアシリンダ２１等のアクチュエータを有する昇降手段２と、該昇降手段２を駆動制御する制御器３とを備える。
【００１８】
昇降体１は、円形をなし、被洗浄物が搭載される物載部１１と、該物載部１１の二つの周方向位置に結合され、逆Ｕ字形をなす吊部１２とを有し、該吊部１２の上端中央部に、エアシリンダ２１のロッド２１ａが相対回転を可能に連結されている。具体的には昇降方向に貫通し、複数の転がり軸受４が内嵌される筒体１３を吊部１２の上端中央部に設け、該筒体１３内の転がり軸受４にロッド２１ａを挿嵌結合することにより、昇降方向に配置されるロッド２１ａを回転軸心として昇降体１を回転自在としてある。
【００１９】
物載部１１は小径の内環１１ａと、該内環１１ａの外周りに配置される大径の外環１１ｂと、内環１１ａ及び外環１１ｂを連結し、且つ洗浄槽Ａの液体中で自転用液流を発生させる液流発生面１ａ，１ｂを有する複数の羽根１１ｃとを有する。
【００２０】
この羽根１１ｃは、回転方向に等間隔で放射方向に配置され、隣合う羽根１１ｃ間に、昇降方向の両方へ開放された液体通路１１ｄを設けてある。各羽根１１ｃの前記昇降方向の両面は、昇降方向に対して同じ方向へ傾斜しており、下降側面を、下降の際に回転方向一方へ自転用液流を発生させる第１の液流発生面１ａとし、上昇側面を、上昇の際に回転方向他方へ自転用液流を発生させる第２の液流発生面１ｂとしてある。尚、液流発生面１ａ，１ｂは、直線的に傾斜する面である他、直線的な面に対して一部が湾曲する面であってもよく、要は昇降体１が昇降する際に該昇降体１を自転させることが可能な液流を発生させる面であればよい。
【００２１】
アクチュエータのエアシリンダ２１は、片ロッド形であり、ピストン両側の室とエアポンプ等のエア源とを連通する連通路を電磁弁で切換えることにより、下降動作、及び上昇動作するように構成されている。
【００２２】
制御器３は、昇降体１を昇降させて洗浄する洗浄時間を設定するための洗浄タイマ３１と、昇降体１が液体中で昇降する昇降ストロークを調整するストローク調整タイマ３２と、タイマ等の電気部品を電源に接続する電源スイッチ３３と、昇降体１を洗浄位置と非洗浄位置とに昇降させる運転釦３４等を備える。
尚、図１においてＢは洗浄槽Ａ及び洗浄装置を支持する支持体である。
【００２３】
以上のように構成された洗浄装置は、円筒形をなし、温水，洗剤液等の液体が収容されている洗浄槽Ａの上方に昇降体１が配置され、該昇降体１の物載部１１にワーク等の被洗浄物が搭載される。尚、被洗浄物は物載部１１の液体通路１１ｄを塞がないように搭載される。
【００２４】
運転釦３５の操作によりエアシリンダ２１が動作し、該エアシリンダ２１のロッド２１ａに回転を自在に連結されている昇降体１が洗浄槽Ａの液体中（洗浄位置）へ下降し、該液体中で昇降が繰り返される。
【００２５】
昇降体１が液体中で下降するとき（図２の実線）、回転方向に等間隔で放射方向に配置されている羽根１１ｃ間の液体通路１１ｄを液体が上方へ流通し、この流通する液体の液圧が第１の液流発生面１ａに加わりつつ液流発生面１ａに沿って斜め上方へ液流が発生し（図３の実線）、この液流の反力により昇降体１が図２の反時計方向へ自転する。この昇降体１の自転により、昇降体１に搭載されている被洗浄物の周りに液流が発生する。因って、昇降体１に搭載されている被洗浄物は、昇降体１の下降により発生する液流と、昇降体１の自転により発生する液流との両方で洗浄することができ、複雑な形状の被洗浄物であっても異物付着箇所に液流が届き易く、昇降回数を多くすることなく被洗浄物の隅々まで洗浄することが可能である。
【００２６】
昇降体１が液体中で上昇するとき（図２の破線）、回転方向に等間隔で放射方向に配置されている羽根１１ｃ間の液体通路１１ｄを液体が下方へ流通し、この流通する液体の液圧が第２の液流発生面１ｂに加わりつつ液流発生面１ｂに沿って斜め下方へ液流が発生し（図３の破線）、この液流の反力により昇降体１が図２の時計方向へ自転する。この昇降体１の自転により、昇降体１に搭載されている被洗浄物の周りに液流が発生する。因って、昇降体１に搭載されている被洗浄物は、昇降体１の上昇により発生する液流と、昇降体１の自転により発生する液流との両方で洗浄することができ、複雑な形状の被洗浄物であっても異物付着箇所に液流が届き易く、昇降回数を多くすることなく被洗浄物の隅々まで洗浄することが可能である。
【００２７】
以上のように昇降体１に搭載される被洗浄物を、昇降体１の上昇、及び下降により発生する液流と、昇降体１の自転により発生する液流とにより洗浄することができるため、被洗浄物に付着している異物を洗い落すまでの昇降回数を低減でき、洗浄作業性を向上できる。
【００２８】
尚、以上説明した実施の形態では、液流発生面１ａ，１ｂを有する羽根１１ｃを物載部１１に設けたが、その他、この羽根１１ｃは載置部１１を構成する外環１１ｂの外周に放射方向へ延出されるように設けてもよい。
【００２９】
また、液流発生面１ａ，１ｂは羽根１１ｃが有する構成とする他、例えば被洗浄物が載置される載置板の複数の回転方向位置に液体通路１１ｄを開設し、該液体通路１１ｄの回転方向一側に第１の液流発生面１ａを設け、回転方向他側に第２の液流発生面１ｂを設ける構成としてもよく、昇降体１が昇降する際に、該昇降体１を自転させ得るものであればよい。
【００３０】
また、以上説明した実施の形態では、第１及び第２の液流発生面１ａ，１ｂを有する構成としたが、その他、第１及び第２の液流発生面１ａ，１ｂの一方だけを有する構成としてもよい。
【図面の簡単な説明】
【００３１】
【図１】本発明に係る洗浄装置の構成を示す斜視図である。
【図２】本発明に係る洗浄装置の昇降体の構成を示す拡大斜視図である。
【図３】本発明に係る洗浄装置の昇降体の一部を破断した正面図である。
【符号の説明】
【００３２】
１    昇降体
１ａ，１ｂ  液流発生面
１１ｃ  羽根
１１ｄ  液体通路
【図１】
2008093522.tif 000003
【図２】
2008093522.tif 000004
【図３】
2008093522.tif 000005